(57)【特許請求の範囲】
【請求項１】
通信装置から機器設定情報の更新を指示するデータを受信する手段と、上記データ中の誤りを検出する手段と、上記データに基づいて機器設定情報を更新する手段と、上記データ中の誤りが検出されたときに、誤りの項目に関する上記機器設定情報の更新を中止するとともに、誤りの項目に関する機能を停止するように制御する制御手段とを備えたことを特徴とする通信端末装置。
【請求項２】
通信装置から機器設定情報の更新を指示するデータを受信する手段と、上記データ中の誤りを検出する手段と、上記データに基づいて機器設定情報を更新する手段と、上記機器設定情報を更新できなかったときに、上記機器設定情報の更新を中止するとともに、更新失敗項目に関する機能を停止するように制御し、上記データ中の誤りが検出されたときに、誤りの項目に関する上記機器設定情報の更新を中止するとともに、誤りの項目に関する機能を停止するように制御する制御手段とを備えたことを特徴とする通信端末装置。
【請求項３】
操作部を用いて上記機器設定情報を手動で修正する手段と、修正後に再度、上記機器設定情報を更新して停止された機能を回復する手段とをさらに備えたことを特徴とする請求項２記載の通信端末装置。
【発明の詳細な説明】
【０００１】
【発明の属する技術分野】
本発明は、サービスセンタ装置などの通信装置から機器設定情報を更新可能である、例えばファクシミリ装置などの通信端末装置に関する。
【０００２】
【従来の技術】
従来、ファクシミリ装置の機器設定を格納した機器設定テーブルをその操作部のみならず、当該ファクシミリ装置の遠隔保守を担当するサービスセンタ装置から、公衆電話回線を介して遠隔で読み出して、当該機器設定テーブルの情報を更新することが行われている。また、昨今のインターネットの普及に伴い、サービスセンタ装置からの機器設定テーブルの情報の更新を、インターネットを介して電子メールを用いて行う方法が実用化されている。ここで、ファクシミリ装置は、サービスセンタ装置からの機器設定テーブルの更新の指示に基づいて、機器設定テーブルを更新した結果（成功であるか、失敗であるか）を発信元のサービスセンタ装置に対して通知する。
【０００３】
【発明が解決しようとする課題】
しかしながら、この従来例のファクシミリ装置においては、機器設定テーブルの更新を失敗した場合でも、再度、変更するまで変更前の設定の状態で、不整合な状態で当該装置を使用し続けることになり、このとき、誤動作が発生する可能性が高くなる。
【０００４】
本発明の目的は以上の問題点を解決し、サービスセンタ装置などの通信装置からの機器設定テーブルの情報の更新を失敗した場合、不整合な状態で当該装置を使用し続けることを中止し、誤動作が発生することを防止することができる通信端末装置を提供することにある。
【０００５】
【課題を解決するための手段】
第１の発明に係る通信端末装置は、通信装置から機器設定情報の更新を指示するデータを受信する手段と、上記データ中の誤りを検出する手段と、上記データに基づいて機器設定情報を更新する手段と、上記データ中の誤りが検出されたときに、誤りの項目に関する上記機器設定情報の更新を中止するとともに、誤りの項目に関する機能を停止するように制御する制御手段とを備えたことを特徴とする。
【０００６】
上記第１の発明に係る通信端末装置において、上記データ中の誤りが検出されたときに、上記データ中の誤りを自動的に修正し、修正後に再度、上記機器設定情報を更新して停止された機能を回復する手段をさらに備えたことを特徴とする。
【０００７】
第２の発明に係る通信端末装置は、通信装置から機器設定情報の更新を指示するデータを受信する手段と、上記データに基づいて機器設定情報を更新する手段と、上記機器設定情報を更新できなかったときに、上記機器設定情報の更新を中止するとともに、誤りの項目に関する機能を停止するように制御する制御手段とを備えたことを特徴とする。
【０００８】
上記第２の発明に係る通信端末装置においては、操作部を用いて上記機器設定情報を手動で修正する手段と、修正後に再度、上記機器設定情報を更新して停止された機能を回復する手段とをさらに備えたことを特徴とする。
【０００９】
【発明の実施の形態】
以下、図面を参照して本発明に係る実施形態について説明する。
【００１０】
＜実施形態＞
図１は、本発明に係る実施形態である、機器被設定機能を有するインターネットファクシミリ装置２０及び周辺装置の構成を示すブロック図であり、図２は、機器設定機能を有する図１のサービスセンタ装置１００及び周辺装置の構成を示すブロック図である。
【００１１】
この実施形態に係る通信装置であるサービスセンタ装置１００は、パケット交換網であるインターネット４０を介して遠隔保守を担当する通信端末装置であるインターネットファクシミリ装置２０に接続されるとともに、回線交換網である公衆電話網５０を介してインターネットファクシミリ装置２０に接続されている。ここで、サービスセンタ装置１００の主制御部１０１は、インターネットファクシミリ装置２０に対してＳＲＡＭ７内の機器設定テーブル７ａの更新を指示する電子メールを送信する。
【００１２】
一方、インターネットファクシミリ装置２０の主制御部１は、サービスセンタ装置２０から機器設定テーブル７ａの更新を指示する電子メールを受信し（図４のステップＳ１２、Ｓ１３でＹＥＳ）、上記電子メールのデータに基づいて機器設定テーブル７ａを更新する（ステップＳ１６）が、上記データ中の誤りが検出したときは（ステップＳ１５でＹＥＳ）、誤りの項目に関する上記機器設定テーブル７ａの更新を中止するとともに、誤りの項目に関する機能を停止する（図５のステップＳ２１）ように制御することを特徴としている。ここで、上記データ中の誤りが検出されたときに（ステップＳ１５でＹＥＳ）、上記データ中の誤りを自動的に修正し（図５のステップＳ２４）、修正後に再度、上記機器設定情報を更新して停止された機能を回復する（ステップＳ２８、Ｓ２９）。
【００１３】
また、インターネットファクシミリ装置２０の主制御部１は、サービスセンタ装置１００から機器設定テーブル７ａの更新を指示する電子メールを受信し（図４のステップＳ１２、Ｓ１３でＹＥＳ）、上記電子メールのデータに基づいて機器設定テーブル７ａを更新する（ステップＳ１６）が、上記機器設定テーブル７ａを更新できなかったときに（ステップＳ１７でＮＯ）、上記機器設定テーブル７ａの更新を中止するとともに、誤りの項目に関する機能を停止する（ステップＳ２１）ように制御することを特徴としている。この後、操作部５を用いて上記機器設定テーブル７ａを手動で修正することができ（ステップＳ２６）、修正後に再度、上記機器設定情報を更新して停止された機能を回復する（ステップＳ２８、Ｓ２９）。
【００１４】
図１において、インターネットファクシミリ装置２０は、従来のＧ３方式等のファクシミリ通信機能を備えるとともに、機器被設定機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１５】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該インターネットファクシミリ装置２０の動作に必要であって主制御部１によって実行される種々のソフトウェアのプログラムを予め格納する。これらのプログラムは、少なくとも図４及び図５の電子メール受信処理を含み、例えば、フロッピーディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。ここで、ＳＲＡＭ７は、インターネットファクシミリ装置２０に関する各種の機器設定項目（例えば、メールサーバアドレス、メールログインアカウント、メールログインパスワード、送信時の装置メールアドレス、ＰＯＰ３プロトコルによるメールチェックの時間間隔などを含む。）や、短縮ダイヤル、ワンタッチダイヤルの宛先名称、短縮番号、電話番号などの登録情報を含む機器設定テーブル７ａを格納する。コンパクトフラッシュ８は、いわゆる画像メモリと、プログラム記録媒体としてのメモリとの役割を有する。
【００１７】
ファックスモデム１０は、公衆電話回線Ｌ１を介して公衆電話網５０に接続され、通常のファクシミリ通信用のファックスモデムの機能を有するモデムである。ＮＣＵ（ネットワーク制御回路：Network Control Unit）１１はアナログの公衆電話回線Ｌ１の直流ループなどの閉結及び開放の動作を行いかつ自動ダイヤル機能を有するハードウェア回路であり、必要に応じてファックスモデム１０を公衆電話回線Ｌ１に接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１８】
インターフェース回路１２は、当該インターネットファクシミリ装置２０を、例えばイーサネットなどのＬＡＮ３０等に接続するために、信号やデータの信号変換やプロトコル変換を行うＬＡＮインターフェース回路であり、ＬＡＮ３０にはメールサーバ装置３１とルータ装置３２が接続される。さらに、ルータ装置３２はインターネット４０を介して相手先のメールサーバ装置（例えば、図２の１３１）に接続される。当該インターネットファクシミリ装置２０から画像データをメール本文に添付して他のインターネットファクシミリ装置に対してメール送信するときは、インターフェース回路１２からＬＡＮ３０を介して一旦メールサーバ装置３１に送信した後、メールサーバ装置３１が当該インターネットメールを、ＬＡＮ３０、ルータ装置３２、インターネット４０、及び相手先のメールサーバ装置（図示せず。）を介して送信先のインターネットファクシミリ装置にメール送信する。一方、メールを受信するときは、上記の逆の経路で受信する。なお、サービスセンタ装置１００からインターネットメールを受信するときは、サービスセンタ装置１００からの機器設定テーブル７ａの更新を指示するインターネットメールは、インターネット４０、ルータ装置３２及びＬＡＮ３０を介してメールサーバ装置３１により一旦受信された後、インターネットファクシミリ装置２０がＰＯＰ３のプロトコルを用いてメールサーバ装置３１に対してアクセスすることにより当該サービスセンタ装置１００からの電子メールを受信する。なお、インターネット４０への回線接続は、専用回線などに限らず、公衆電話回線Ｌ１を用いたダイヤルアップ接続でもよい。
【００１９】
以上のように構成された本実施形態のインターネットファクシミリ装置２０は、通常のＧ３方式及びインターネット等のファクシミリ通信機能に加えて、機器被設定機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００２０】
次いで、機器設定機能を有する図１のサービスセンタ装置１００及び周辺装置の構成について図２を参照して説明する。
【００２１】
図２において、ＣＰＵである主制御部１０１は、バス１１３を介して以下のハードウェア各部と接続されていてそれらを制御する。画像読取部１０２及び画像記録部１０３はそれぞれ図１の画像読取部２及び画像記録部３と同様の機能を有する。また、表示部１０４は、液晶表示装置（ＬＣＤ）等の表示装置であり、操作部１０５を用いて入力した設定データを表示する。操作部１０５は、例えばキーボードであり、文字データや指示コマンドを入力するためのものである。
【００２２】
ＲＯＭ１０６は、当該サービスセンタ装置１００の動作に必要であってＣＰＵ１０１によって実行されるソフトウェアのプログラムを予め格納する。また、ＳＲＡＭ１０７は、ＣＰＵ１０１のワーキングエリアとして使用されてプログラムの実行時に発生する一時的なデータを記憶する。さらに、ハードディスクドライブ１０８は、ハードディスクメモリを内蔵し、ＣＰＵ１０１により実行されるプログラムやデータを格納する。ここで、ＲＯＭ１０６は、少なくとも図３の機器設定電子メール送信処理を含む。
【００２３】
ファックスモデム１１０は、公衆電話回線Ｌ２を介して公衆電話網５０に接続され、通常のファクシミリ通信用のファックスモデムの機能を有するモデムである。ＮＣＵ１１１はアナログの公衆電話回線Ｌ２の直流ループなどの閉結及び開放の動作を行いかつ自動ダイヤル機能を有するハードウェア回路であり、必要に応じてファックスモデム１１０を公衆電話回線Ｌ２に接続する。
【００２４】
ＬＡＮインターフェース回路１１２は、当該サービスセンタ装置１００を、例えばイーサネットなどのＬＡＮ１３０等に接続するために、信号やデータの信号変換やプロトコル変換を行う回路であり、ＬＡＮ１３０にはメールサーバ装置１３１とルータ装置１３２が接続される。さらに、ルータ装置１３２はインターネット４０を介して相手先のメールサーバ装置（例えば、図１の３１）に接続される。当該サービスセンタ装置１００から機器設定テーブル７ａの更新を指示する電子メールを、遠隔保守を担当するインターネットファクシミリ装置２０に対してメール送信するときは、ＬＡＮインターフェース回路１１２からＬＡＮ１３０を介して一旦メールサーバ装置１３１に送信した後、メールサーバ装置１３１が当該電子メールを、ＬＡＮ１３０、ルータ装置１３２、インターネット４０、及び相手先のメールサーバ装置３１を介して送信先のインターネットファクシミリ装置２０にメール送信する。一方、インターネットファクシミリ装置２０から電子メールを受信するときは、上記の逆の経路で受信する。なお、インターネット４０への回線接続は、専用回線などに限らず、公衆電話回線Ｌ２を用いたダイヤルアップ接続でもよい。
【００２５】
図３は、図２のサービスセンタ装置１００の主制御部１０１によって実行される機器設定電子メール送信処理を示すフローチャートである。図３において、ステップＳ１において、インターネットファクシミリ装置２０の機器設定テーブル７ａの更新を指示するための電子メール（以下、機器設定電子メールという。）をインターネット４０を介してインターネットファクシミリ装置２０に対して送信し、当該機器設定電子メール送信処理を終了する。
【００２６】
図４乃至図５は、図１のインターネットファクシミリ装置２０の主制御部１によって実行される電子メール受信処理を示すフローチャートである。
【００２７】
図４において、まず、ステップＳ１１において前の電子メールの受信から所定時間（例えば５分）だけ経過したか否かが判断され、ＹＥＳとなるまでステップＳ１１の処理を繰り返し、ＹＥＳとなったとき、ステップＳ１２においてＰＯＰ３プロトコルを用いてメールサーバ装置３１にアクセスして電子メールを受信する。次いで、ステップＳ１３において受信された電子メールのヘッダや本文に特定の文字列が含まれるか否かに基づいて機器設定電子メールであるか否かが判断され、ＹＥＳのときはステップＳ１５に進む一方、ＮＯのときはステップＳ１４に進み、その他の処理を実行した後、当該電子メール受信処理を終了する。一方、ステップＳ１５において設定項目に誤りがあるか否かが判断され、ＹＥＳのときは図５のステップＳ２１に進む一方、ＮＯのときはステップＳ１６に進む。ステップＳ１６では、受信した機器設定電子メールのデータに基づいて機器設定テーブル７ａを更新し、ステップＳ１７において更新処理は成功したか否かが判断され、ＹＥＳのときはステップＳ１８に進む一方、ＮＯのときは図５のステップＳ２１に進む。ステップＳ１８では、更新成功を示す機器設定返信電子メールをサービスセンタ装置１００に送信して当該電子メール受信処理を終了する。
【００２８】
図５のステップＳ２１において、機器設定テーブル７ａの更新処理を中止するとともに、誤り項目又は更新失敗項目に関する機能を停止し、ステップＳ２２において装置設定エラーとしてＳＲＡＭ７の一時メモリに記憶する。次いで、ステップＳ２３において当該項目は自動修正が可能か否かが判断され、ＹＥＳのときはステップＳ２４に進む一方、ＮＯのときはステップＳ２５に進む。ステップＳ２４において機器設定内容を自動的に修正した後、ステップＳ２７に進む。一方、ステップＳ２５において装置設定エラーレポートを画像記録部３を用いて印字し、操作者はこれを見て、ステップＳ２６において操作部５を用いて機器設定内容を手動で修正する。そして、制御フローはステップＳ２７に進む。
【００２９】
ステップＳ２７において装置設定エラーは解消されたか否かが判断され、ＹＥＳのときはステップＳ２８に進む一方、ＮＯのときはステップＳ３１に進む。ステップＳ２８において修正された機器設定内容に基づいて機器設定テーブル７ａを更新し、ステップＳ２９において当該項目の機能を復旧し、装置設定エラーを解除する。さらに、ステップＳ３０において更新成功を示す機器設定返信電子メールをインターネット４０を介してサービスセンタ装置１００に送信して当該電子メール受信処理を終了する。一方、ステップＳ２７でＮＯであるとき、ステップＳ３１において更新失敗を示す機器設定返信電子メールをインターネット４０を介してサービスセンタ装置１００に送信して当該受信メール受信処理を終了する。
【００３０】
以上説明したように、本実施形態によれば、インターネットファクシミリ装置２０の主制御部１は、サービスセンタ装置２０から機器設定テーブル７ａの更新を指示する電子メールを受信し（図４のステップＳ１２、Ｓ１３でＹＥＳ）、上記電子メールのデータに基づいて機器設定テーブル７ａを更新する（ステップＳ１６）が、上記データ中の誤りが検出したときは（ステップＳ１５でＹＥＳ）、誤りの項目に関する上記機器設定テーブル７ａの更新を中止するとともに、誤りの項目に関する機能を停止する（図５のステップＳ２１）ように制御する。従って、サービスセンタ装置１００からの機器設定テーブルの情報の更新を失敗した場合、不整合な状態で当該インターネットファクシミリ装置２０を使用し続けることを中止し、誤動作が発生することを防止することができる。
【００３１】
ここで、上記データ中の誤りが検出されたときに（ステップＳ１５でＹＥＳ）、上記データ中の誤りを自動的に修正し（図５のステップＳ２４）、修正後に再度、上記機器設定情報を更新して停止された機能を回復する（ステップＳ２８、Ｓ２９）。従って、上記データ中の誤りが検出されたときにそれを自動的に修正して、停止された機能を回復できるので、操作性を大幅に改善できる。
【００３２】
また、インターネットファクシミリ装置２０の主制御部１は、サービスセンタ装置１００から機器設定テーブル７ａの更新を指示する電子メールを受信し（図４のステップＳ１２、Ｓ１３でＹＥＳ）、上記電子メールのデータに基づいて機器設定テーブル７ａを更新する（ステップＳ１６）が、上記機器設定テーブル７ａを更新できなかったときに（ステップＳ１７でＮＯ）、上記機器設定テーブル７ａの更新を中止するとともに、誤りの項目に関する機能を停止する（ステップＳ２１）ように制御する。従って、サービスセンタ装置１００からの機器設定テーブルの情報の更新を失敗した場合、不整合な状態で当該インターネットファクシミリ装置２０を使用し続けることを中止し、誤動作が発生することを防止することができる。
【００３３】
この後、操作部５を用いて上記機器設定テーブル７ａを手動で修正することができ（ステップＳ２６）、修正後に再度、上記機器設定情報を更新して停止された機能を回復する（ステップＳ２８、Ｓ２９）。従って、上記機器設定テーブル７ａを更新できなかったときなどにおいて、それを手動で修正して、停止された機能を回復できるので、操作性を大幅に改善できる。
【００３４】
＜変形例＞
以上の実施形態においては、インターネットファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００３５】
以上の実施形態においては、電子メールを用いて機器設定テーブル７ａの更新を指示するデータを送信しているが、本発明はこれに限らず、インターネットを介してＨＴＴＰプロトコルを用いて機器設定テーブル７ａの更新を指示するデータを送信し、もしくは、公衆電話網５０を介してＩＴＵ−Ｔ勧告のＴ．３０の非標準モード又はＢＦＴ（Binary File Transfer）通信プロトコルを用いて機器設定テーブル７ａの更新を指示するデータを送信してもよい。
【００３６】
【発明の効果】
以上詳述したように第１の発明に係る通信端末装置によれば、通信装置から機器設定情報の更新を指示するデータを受信する手段と、上記データ中の誤りを検出する手段と、上記データに基づいて機器設定情報を更新する手段と、上記データ中の誤りが検出されたときに、誤りの項目に関する上記機器設定情報の更新を中止するとともに、誤りの項目に関する機能を停止するように制御する制御手段とを備える。従って、サービスセンタ装置などの通信装置からの機器設定テーブルの情報の更新を失敗した場合、不整合な状態で当該装置を使用し続けることを中止し、誤動作が発生することを防止することができる。
【００３７】
上記第１の発明に係る通信端末装置において、上記データ中の誤りが検出されたときに、上記データ中の誤りを自動的に修正し、修正後に再度、上記機器設定情報を更新して停止された機能を回復する手段をさらに備える。従って、上記データ中の誤りが検出されたときにそれを自動的に修正して、停止された機能を回復できるので、操作性を大幅に改善できる。
【００３８】
また、第２の発明に係る通信端末装置によれば、通信装置から機器設定情報の更新を指示するデータを受信する手段と、上記データに基づいて機器設定情報を更新する手段と、上記機器設定情報を更新できなかったときに、上記機器設定情報の更新を中止するとともに、誤りの項目に関する機能を停止するように制御する制御手段とを備える。従って、サービスセンタ装置などの通信装置からの機器設定テーブルの情報の更新を失敗した場合、不整合な状態で当該装置を使用し続けることを中止し、誤動作が発生することを防止することができる。
【００３９】
上記第２の発明に係る通信端末装置においては、操作部を用いて上記機器設定情報を手動で修正する手段と、修正後に再度、上記機器設定情報を更新して停止された機能を回復する手段とをさらに備える。従って、上記機器設定情報を更新できなかったときなどにおいて、それを手動で修正して、停止された機能を回復できるので、操作性を大幅に改善できる。
【図面の簡単な説明】
【図１】  本発明に係る実施形態である、機器被設定機能を有するインターネットファクシミリ装置２０及び周辺装置の構成を示すブロック図である。
【図２】  機器設定機能を有する図１のサービスセンタ装置１００及び周辺装置の構成を示すブロック図である。
【図３】  図２のサービスセンタ装置１００の主制御部１０１によって実行される機器設定電子メール送信処理を示すフローチャートである。
【図４】  図１のインターネットファクシミリ装置２０の主制御部１によって実行される電子メール受信処理の第１の部分を示すフローチャートである。
【図５】  図１のインターネットファクシミリ装置２０の主制御部１によって実行される電子メール受信処理の第２の部分を示すフローチャートである。
【符号の説明】
１…主制御部、
５…操作部、
６…ＲＯＭ、
７…ＲＡＭ、
７ａ…機器設定テーブル、
８…コンパクトフラッシュ、
１０…ファックスモデム、
１１…ＮＣＵ、
１２…インターフェース回路、
１３…バス、
２０…インターネットファクシミリ装置、
３０…ＬＡＮ、
３１…メールサーバ装置、
３２…ルータ装置、
４０…インターネット、
５０…公衆電話網、
１００…サービスセンタ装置、
Ｌ１…公衆電話回線。
【図１】
0004461645.tif 000002
【図２】
0004461645.tif 000003
【図３】
0004461645.tif 000004
【図４】
0004461645.tif 000005
【図５】
0004461645.tif 000006